【手続補正書】
【提出日】平成17年10月3日(2005.10.3)
【手続補正１】
【補正対象書類名】明細書
【補正対象項目名】発明の名称
【補正方法】変更
【補正の内容】
【発明の名称】プリントシステム及び情報処理装置、並びにそれらの制御方法及び制御プログラム
【手続補正２】
【補正対象書類名】明細書
【補正対象項目名】特許請求の範囲
【補正方法】変更
【補正の内容】
【特許請求の範囲】
【請求項１】  印刷用フォーム及び印刷用データを配信するサーバ装置と、前記サーバ装置から配信された印刷用フォーム及び印刷用データを受信するクライアント装置とから構成されるプリントシステムであって、
前記クライアント装置で画像形成に利用された印刷用フォームを、識別情報と対応付けて管理する管理手段を有し、
前記クライアント装置は、
印刷用フォーム及び印刷用データを利用して画像形成を行う画像形成手段と、
前記管理手段により管理されている利用済みの印刷用フォームの中から、新たに受信した印刷用フォームと同一の識別情報を有する印刷用フォームであって世代のより古いものを取得する旧フォーム取得手段とを有し、
前記画像形成手段は、新たに受信した印刷用データと前記旧フォーム取得手段により取得された世代のより古い印刷用フォームとを用いて画像形成を行うことを特徴とするプリントシステム。
【請求項２】 前記管理手段は、前記クライアント装置にネットワークで接続されたキャッシュサーバで構成されることを特徴とする請求項１に記載のプリントシステム。
【請求項３】 前記キャッシュサーバへの利用済みの印刷用フォームの登録は、前記クライアント装置から前記ネットワークを通じてアップロードすることでなされることを特徴とする請求項２に記載のプリントシステム。
【請求項４】 前記画像形成手段は、新たに受信した印刷用フォームと前記旧フォーム取得手段により取得された世代のより古い印刷用フォームのいずれを画像形成に用いるかを選択可能であることを特徴とする請求項１乃至３のいずれかに記載のプリントシステム。
【請求項５】 前記管理手段は、前記利用済みの印刷用フォームをクライアント装置毎に管理することを特徴とする請求項１乃至４のいずれかに記載のプリントシステム。
【請求項６】 印刷用フォーム及び印刷用データに基づいて画像形成を行う画像形成手段と、
印刷用フォーム及び印刷用データを取得する取得手段と、
利用済みの印刷用フォームのうち、前記取得手段が取得した印刷用フォームと同一の識別情報を有する印刷用フォームであって世代のより古いものを取得する旧フォーム取得手段とを有する画像処理装置であって、
前記画像形成手段は、新たに受信した印刷用データと前記旧フォーム取得手段により取得された世代のより古い印刷用フォームとを用いて画像形成を行うことを特徴とする情報処理装置。
【請求項７】 前記情報処理装置は、前記取得手段が取得した印刷用フォームを示す識別情報をサーバ装置に送信し、当該サーバ装置から返信される印刷用フォームリストを受信する受信手段と、
前記受信手段が受信したフォームリストの中から所望のフォームを選択する選択手段とを有し、
前記画像形成手段は、前記新たに受信した印刷用データと前記選択手段により選択された印刷用フォームとを用いて画像形成を行うことを特徴とする請求項６に記載の情報処理装置。
【請求項８】 前記情報処理装置は、フォームリストと共に、当該フォームに関する日時情報を表示する表示手段を有し、
前記選択手段は、前記表示手段において表示されるフォームリストに対する選択指示に応じて印刷用フォームを選択することを特徴とする請求項７に記載の情報処理装置。
【請求項９】 印刷用フォーム及び印刷用データを配信するサーバ装置と、前記サーバ装置から配信された印刷用フォーム及び印刷用データを受信するクライアント装置とから構成されるプリントシステムの制御方法であって、
前記クライアント装置で画像形成に利用された印刷用フォームを、識別情報と対応付けて管理する管理ステップを有し、
前記クライアント装置において、
印刷用フォーム及び印刷用データを利用して画像形成を行う画像形成ステップと、
前記管理ステップにより管理されている利用済みの印刷用フォームの中から、新たに受信した印刷用フォームと同一の識別情報を有する印刷用フォームであって世代のより古いものを取得する旧フォーム取得ステップとを有し、
前記画像形成ステップは、新たに受信した印刷用データと前記旧フォーム取得ステップにより取得された世代のより古い印刷用フォームとを用いて画像形成を行うことを特徴とするプリントシステムの制御方法。
【請求項１０】 前記画像形成ステップは、新たに受信した印刷用フォームと前記旧フォーム取得ステップにより取得された世代のより古い印刷用フォームのいずれを画像形成に用いるかを選択可能であることを特徴とする請求項９に記載のプリントシステムの制御方法。
【請求項１１】 前記管理ステップは、前記利用済みの印刷用フォームをクライアント装置毎に管理することを特徴とする請求項９又は１０に記載のプリントシステムの制御方法。
【請求項１２】 印刷用フォーム及び印刷用データに基づいて画像形成を行う画像形成ステップと、
印刷用フォーム及び印刷用データを取得する取得ステップと、
利用済みの印刷用フォームのうち、前記取得ステップが取得した印刷用フォームと同一の識別情報を有する印刷用フォームであって世代のより古いものを取得する旧フォーム取得ステップとを有する画像処理装置の制御方法であって、
前記画像形成ステップは、新たに受信した印刷用データと前記旧フォーム取得ステップにより取得された世代のより古い印刷用フォームとを用いて画像形成を行うことを特徴とする情報処理装置の制御方法。
【請求項１３】 前記情報処理装置の制御方法は、前記取得ステップが取得した印刷用フォームを示す識別情報をサーバ装置に送信し、当該サーバ装置から返信される印刷用フォームリストを受信する受信ステップと、
前記受信ステップが受信したフォームリストの中から所望のフォームを選択する選択ステップとを有し、
前記画像形成ステップは、前記新たに受信した印刷用データと前記選択ステップにより選択された印刷用フォームとを用いて画像形成を行うことを特徴とする請求項１２に記載の情報処理装置の制御方法。
【請求項１４】 前記情報処理装置の制御方法は、フォームリストと共に、当該フォームに関する日時情報を表示する表示ステップを有し、
前記選択ステップは、前記表示ステップにおいて表示されるフォームリストに対する選択指示に応じて印刷用フォームを選択することを特徴とする請求項１３に記載の情報処理装置の制御方法。
【請求項１５】 印刷用フォーム及び印刷用データを配信するサーバ装置と、前記サーバ装置から配信された印刷用フォーム及び印刷用データを受信するクライアント装置とから構成されるプリントシステムの制御プログラムであって、
前記クライアント装置で画像形成に利用された印刷用フォームを、識別情報と対応付けて管理する管理モジュールをコンピュータに実行させ、
前記クライアント装置において、
印刷用フォーム及び印刷用データを利用して画像形成を行う画像形成モジュールと、
前記管理モジュールにより管理されている利用済みの印刷用フォームの中から、新たに受信した印刷用フォームと同一の識別情報を有する印刷用フォームであって世代のより古いものを取得する旧フォーム取得モジュールとをコンピュータに実行させ、
前記画像形成モジュールは、新たに受信した印刷用データと前記旧フォーム取得モジュールにより取得された世代のより古い印刷用フォームとを用いて画像形成を行うことを特徴とするプリントシステムの制御プログラム。
【請求項１６】 印刷用フォーム及び印刷用データに基づいて画像形成を行う画像形成モジュールと、
印刷用フォーム及び印刷用データを取得する取得モジュールと、
利用済みの印刷用フォームのうち、前記取得モジュールが取得した印刷用フォームと同一の識別情報を有する印刷用フォームであって世代のより古いものを取得する旧フォーム取得モジュールとをコンピュータに実行させることを特徴とする画像処理装置の制御プログラムであって、
前記画像形成モジュールは、新たに受信した印刷用データと前記旧フォーム取得モジュールにより取得された世代のより古い印刷用フォームとを用いて画像形成を行うことを特徴とする情報処理装置の制御プログラム。
【手続補正３】
【補正対象書類名】明細書
【補正対象項目名】０００１
【補正方法】変更
【補正の内容】
【０００１】
【発明の属する技術の分野】
本発明は、ネットワークを介して帳票、電子カタログなどのプリントを行う為のプリントシステム及び情報処理装置、並びにそれらの制御方法及び制御プログラムに関する。
【手続補正４】
【補正対象書類名】明細書
【補正対象項目名】０００８
【補正方法】変更
【補正の内容】
【０００８】
本発明は、上記従来技術の問題を解決するためになされたものであり、その目的は、過去に利用した古い印刷用フォームの再利用を可能にして画像形成の自由度を高めることができるプリントシステム及び情報処理装置、並びにそれらの制御方法及び制御プログラムを提供することにある。
【手続補正５】
【補正対象書類名】明細書
【補正対象項目名】０００９
【補正方法】変更
【補正の内容】
【０００９】
【課題を解決するための手段】
上記目的を達成するために、本発明の請求項１のプリントシステムは、印刷用フォーム及び印刷用データを配信するサーバ装置と、前記サーバ装置から配信された印刷用フォーム及び印刷用データを受信するクライアント装置とから構成されるプリントシステムであって、前記クライアント装置で画像形成に利用された印刷用フォームを、識別情報と対応付けて管理する管理手段を有し、前記クライアント装置は、印刷用フォーム及び印刷用データを利用して画像形成を行う画像形成手段と、前記管理手段により管理されている利用済みの印刷用フォームの中から、新たに受信した印刷用フォームと同一の識別情報を有する印刷用フォームであって世代のより古いものを取得する旧フォーム取得手段とを有し、前記画像形成手段は、新たに受信した印刷用データと前記旧フォーム取得手段により取得された世代のより古い印刷用フォームとを用いて画像形成を行うことを特徴とする。
請求項６の情報処理装置は、印刷用フォーム及び印刷用データに基づいて画像形成を行う画像形成手段と、印刷用フォーム及び印刷用データを取得する取得手段と、利用済みの印刷用フォームのうち、前記取得手段が取得した印刷用フォームと同一の識別情報を有する印刷用フォームであって世代のより古いものを取得する旧フォーム取得手段とを有する画像処理装置であって、前記画像形成手段は、新たに受信した印刷用データと前記旧フォーム取得手段により取得された世代のより古い印刷用フォームとを用いて画像形成を行うことを特徴とする。
請求項９のプリントシステムの制御方法は、印刷用フォーム及び印刷用データを配信するサーバ装置と、前記サーバ装置から配信された印刷用フォーム及び印刷用データを受信するクライアント装置とから構成されるプリントシステムの制御方法であって、前記クライアント装置で画像形成に利用された印刷用フォームを、識別情報と対応付けて管理する管理ステップを有し、前記クライアント装置において、印刷用フォーム及び印刷用データを利用して画像形成を行う画像形成ステップと、前記管理ステップにより管理されている利用済みの印刷用フォームの中から、新たに受信した印刷用フォームと同一の識別情報を有する印刷用フォームであって世代のより古いものを取得する旧フォーム取得ステップとを有し、前記画像形成ステップは、新たに受信した印刷用データと前記旧フォーム取得ステップにより取得された世代のより古い印刷用フォームとを用いて画像形成を行うことを特徴とする。
請求項１２の情報処理装置の制御方法は、印刷用フォーム及び印刷用データに基づいて画像形成を行う画像形成ステップと、印刷用フォーム及び印刷用データを取得する取得ステップと、利用済みの印刷用フォームのうち、前記取得ステップが取得した印刷用フォームと同一の識別情報を有する印刷用フォームであって世代のより古いものを取得する旧フォーム取得ステップとを有する画像処理装置の制御方法であって、前記画像形成ステップは、新たに受信した印刷用データと前記旧フォーム取得ステップにより取得された世代のより古い印刷用フォームとを用いて画像形成を行うことを特徴とする。
請求項１５のプリントシステムの制御プログラムは、印刷用フォーム及び印刷用データを配信するサーバ装置と、前記サーバ装置から配信された印刷用フォーム及び印刷用データを受信するクライアント装置とから構成されるプリントシステムの制御プログラムであって、前記クライアント装置で画像形成に利用された印刷用フォームを、識別情報と対応付けて管理する管理モジュールをコンピュータに実行させ、前記クライアント装置において、印刷用フォーム及び印刷用データを利用して画像形成を行う画像形成モジュールと、前記管理モジュールにより管理されている利用済みの印刷用フォームの中から、新たに受信した印刷用フォームと同一の識別情報を有する印刷用フォームであって世代のより古いものを取得する旧フォーム取得モジュールとをコンピュータに実行させ、前記画像形成モジュールは、新たに受信した印刷用データと前記旧フォーム取得モジュールにより取得された世代のより古い印刷用フォームとを用いて画像形成を行うことを特徴とする。
請求項１６の情報処理装置の制御プログラムは、印刷用フォーム及び印刷用データに基づいて画像形成を行う画像形成モジュールと、印刷用フォーム及び印刷用データを取得する取得モジュールと、利用済みの印刷用フォームのうち、前記取得モジュールが取得した印刷用フォームと同一の識別情報を有する印刷用フォームであって世代のより古いものを取得する旧フォーム取得モジュールとをコンピュータに実行させることを特徴とする画像処理装置の制御プログラムであって、前記画像形成モジュールは、新たに受信した印刷用データと前記旧フォーム取得モジュールにより取得された世代のより古い印刷用フォームとを用いて画像形成を行うことを特徴とする。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】